(57)【要約】【課題】身体に直接触れる寝具、例えば、枕カバー、敷きパット、座布団用クッションについて、調温性能を持つマイクロカプセル加工剤を有効利用することで、十分な調温性能を発揮できるようにすること。【解決手段】液状とした調温性能を持つマイクロカプセル加工剤に浸漬して該マイクロカプセル加工剤を一体化させたマイヤー織原反を縫製することによって寝具本体（１）を構成した。【選択図】図１
0003151633.tif 000002
【実用新案登録請求の範囲】
【請求項１】
枕カバー、敷きパット、座布団用クッションを含む身体に直接に触れる寝具であって、
液状とした調温性能を持つマイクロカプセル加工剤に浸漬して該マイクロカプセル加工剤を一体化させたマイヤー織原反を縫製することによって寝具本体（１）を構成したことを特徴とする寝具。
【請求項２】
前記寝具本体（１）が枕カバーに構成され、一対の弾性紐状体（２）が四角形の寝具本体（１）の対向する辺を所定の間隔（Ｌ）を隔てて繋ぐように逢着され、以って、枕を囲繞して係止できるように構成されていることを特徴とする請求項１の寝具。
【請求項３】
前記寝具本体（１）が座布団用クッションに構成され、座布団の上面に載置、固定するための紐状体（３）が逢着されていることを特徴とする請求項１の寝具。
【考案の詳細な説明】
【技術分野】
【０００１】  本考案は、枕カバー、敷きパット、座布団用クッションを含む寝具に関する。
【背景技術】
【０００２】  寝具として、種々のものが提供されているが、本考案は、身体に直接に触れる寝具を対象とする。
例えば、枕カバーとしては、通常、枕本体を被覆し、汚れると取り外して洗浄し、再度被覆させて用いることができるようにするものが提案されている。
このような枕カバーは、汚れに対処しようとしたものであるが、頭部の熱に対処しようとするものではなかった。【０００３】  頭部は熱を持つので、枕に蓄熱され、それが原因となって安眠が出来難くなるという問題があり、これを放熱させて逃がすために、古来、籾殻を枕に入れる等した対処策が採られている。
こうした対処策では不十分であるとして、蓄冷体を枕に内蔵させ、頭部の熱を吸収し、清涼感を得て安眠できるようにしようという提案もなされている。
【特許文献１】特開平７−２９８９７１。
【０００４】  枕カバーとは逆に、寝床に保温性を付与する敷きマットも提供されている。
こうした保温機能は、ヒーターを備えた電気的手段を用いるものと、断熱機能を有するシートという素材機能を用いるものがある。
前者は、装置として大掛かりとなり、後者は、シート素材の持つ機能であるため、前者に比べて機能が劣る。
【特許文献２】特開２０００−１４５１２。
【考案の開示】
【考案が解決しようとする課題】
【０００５】  寝具、特に身体に直接触れる寝具、例えば、枕カバー、敷きパット、座布団用クッションにあっては、冬夏を過ごす上で、保温機能も放熱機能も求められる。
即ち、最も理想的な形態としては、所定の高い温度域にあっては、レ熱機能を発揮し、その逆では、保温機能を発揮できればよい。【０００６】  このような蓄熱、放熱を可能とする調温性能をもつ、例えば、液体固体間相変換をする高純度パラフィンのマイクロカプセル加工剤が開発されている。
そこで、こうしたマイクロカプセル加工剤を用いて寝具を構成することができないものかと、一般の寝具を構成する単層の織布に対して調温性能を持つマイクロカプセル加工剤を一体化させる工夫を重ねたが、十分な調温性能が発揮できなかった。【０００７】  本考案は、かかる問題点に鑑み、特に、身体に直接触れる寝具、例えば、枕カバー、敷きパット、座布団用クッションについて、調温性能を持つマイクロカプセル加工剤を有効利用することで、十分な調温性能を発揮できるようにすることを目的とする。
【課題を解決するための手段】
【０００８】  本考案にかかる寝具は、上記課題を解決するために、請求項１に記載の通り、
枕カバー、敷きパット、座布団用クッションを含む身体に直接に触れる寝具であって、
液状とした調温性能を持つマイクロカプセル加工剤に浸漬して該マイクロカプセル加工剤を一体化させたマイヤー織原反を縫製することによって寝具本体（１）を構成したことを特徴とする。【０００９】  本考案において、マイヤー織原反とは、マイヤー織機により織製された原反で、センターカットがなされていないものを言う。
また、調温性能を持つマイクロカプセル加工剤とは、蓄熱、放熱が可能な液体固体間相変換をする高純度パラフィンのマイクロカプセル加工剤単体の使用のほか、蓄熱、放熱、保温、発熱を行う個別のマイクロカプセル加工剤を併用することも含まれる。
【考案の効果】
【００１０】  本考案によれば、枕カバー、敷きパット、座布団用クッションを含む寝具について、マイヤー織原反に調温性能を持つマイクロカプセル加工剤を一体化させるという極めてシンプルな構造によって、その調温性能を十分に発揮させることが出来るに至ったものである。【００１１】  即ち、従来、寝具の素材として、マイヤー織原反は、センターカットを施し、分離した夫々について、例えば、起毛処理したり、再度、両者を反転させて逢着したりして使用していたが、本考案者は、その表裏織基布を繋ぐ繋ぎ糸によって、空間を形成するように厚く織製された構造と、構造的に保温機能を備えていることと単層布に比べて糸量が多いことに着目し、これを、液状のマイクロカプセル加工剤に浸漬して絞り（その後に染色工程等）、一体化させることで、十分な量のマイクロカプセル加工剤を確保でき、その結果として、実用可能な調温性能（所定温度での蓄熱、放熱）を得ることが出来たものである。
本考案のその他利点は、以下の記載から明らかとなろう。
【考案を実施するための最良の形態】
【００１２】  本考案の実施に際しては、前記寝具本体（１）が枕カバーに構成され、一対の弾性紐状体（２）が四角形の寝具本体（１）の対向する辺を所定の間隔（Ｌ）を隔てて繋ぐように逢着され、以って、枕を囲繞して係止できるように構成されているのが好ましい。【００１３】  このように構成することで、一対の弾性紐状体（２）の伸縮によって、容易に枕に対する着脱を行い得るので、汚れた場合に取り外し、洗濯して再度装着することを容易に行い得る。【００１４】  また、前記寝具本体（１）が座布団用クッションに構成され、座布団の上面に載置、固定するための紐状体（３）が逢着されているのが好ましい。
このように構成することで、前記紐状体（３）を用いて、寝具本体（１）を座布団に対して、或いは、座布団を載せた椅子に対して、結びつけて容易に着脱させることができる。
【実施例】
【００１５】  本考案にかかる寝具の一実施例を、図面を参照して以下詳述する。
図１は、本考案にかかる寝具としての枕カバーの斜視図である。
この枕カバーの寝具本体１は、マイヤー織原反を、センターカットを行わずにそのまま用いたもので、液状とした調温性能を持つマイクロカプセル加工剤、例えば、高純度パラフィンのマイクロカプセル加工剤にその原反を浸漬し、絞りを行い、その後、所要の染色を行い、所定のサイズの四画形にカットし、その周囲をテープ４でマチ取りして構成されている。【００１６】  そして、一対の弾性紐状体２（ゴム紐）が四角形の寝具本体１の対向する辺を所定の間隔Ｌを隔てて繋ぐように逢着されている。これによって、寝具本体１を環状として、その中に枕を囲繞して弾性係止できるように構成されている。
尚、弾性紐状体２は、前記テープ４によるマチ取りの際に、弾性紐状体２の端部を前記テープ４と寝具本体１との間に挟んで同時に逢着するのが好ましい。【００１７】  図２は、前記寝具本体１が座布団用クッションに構成されたものを示す。この場合、マイヤー織原反を、センターカットを行わずにそのまま用い、液状とした調温性能を持つマイクロカプセル加工剤、例えば、高純度パラフィンのマイクロカプセル加工剤にその原反を浸漬し、絞りを行い、その後、所要の染色を行い、所定のサイズの四画形にカットし、その周囲をテープ４でマチ取りして構成する点は、上述の枕カバーと同じである。図２において、仮想線は、座布団を示す。【００１８】  この座布団用クッションには、座布団の上面に載置、固定するための紐状体３が逢着されている。この紐状体３は、ここでは通常の紐状体であるが、上記の弾性紐状体２に代えてもよい。
この紐状体３によって、座布団用クッションとして用いる際に、座布団に載置して、この座布団の裏面で結んで固定してもよいし、座布団を椅子に載置する場合には、椅子の座部の裏面に紐状体３を回して、座布団と供に一体的に固定するようにしてもよい。【００１９】  上記寝具本体１を敷きマットとして構成する場合には、マイヤー織原反を、センターカットを行わずにそのまま用い、液状とした調温性能を持つマイクロカプセル加工剤、例えば、高純度パラフィンのマイクロカプセル加工剤にその原反を浸漬し、絞りを行い、その後、所要の染色を行い、所定のサイズの四画形にカットし、その周囲をテープ４でマチ取りして構成する点は、枕カバーと同じである。
【産業上の利用可能性】
【００２０】  本考案の寝具は、マイヤー織原反をそのまま用い、液状マイクロカプセル加工剤に浸漬する簡単な工程で、所要の寝具の基材として用い得るので、種々の寝具に適用できる利点がある。
【図面の簡単な説明】
【００２１】
【図１】本考案にかかる寝具としての枕カバーの斜視図である。
【図２】本考案にかかる寝具としての座布団用クッションの斜視図である。
【符号の説明】
【００２２】  １：寝具本体
２：弾性紐状体
３：紐状体
Ｌ：所定の間隔
【図１】
0003151633.tif 000003
【図２】
0003151633.tif 000004